(57)【要約】【課題】  片手で把持したときに安定性よく持ち上げられ、かつ、把持する部位の剛性が高く、強い力で掴んでも変形し難い容器を提供する。【解決手段】  口部２、胴部３及び底部４を備えた容器１において、胴部３の高さ方向ほぼ中央に、径を絞り込んだウェスト部５を形成して、ウェスト部５を境に、上側胴部３１と下側胴部３２とに胴部３が分けられているとともに、ウェスト部５が、上側胴部３１に連続する上絞り部５１と、下側胴部３２に連続する下絞り部５２と、上絞り部５１と下絞り部５２とを接続する最絞り部５３とからなっている。【選択図】  図１
2006103736.tif 000002
【特許請求の範囲】
【請求項１】
口部、胴部及び底部を備えた合成樹脂製容器であって、
前記胴部が、前記胴部の高さ方向ほぼ中央に設けられたウェスト部により、上側胴部と下側胴部とに分けられており、
前記ウェスト部が、前記上側胴部に連続する上絞り部と、前記下側胴部に連続する下絞り部と、前記上絞り部と前記下絞り部とを接続する最絞り部とからなることを特徴とする合成樹脂製容器。
【請求項２】
前記胴部の最大径に対するウェスト部の最小径の比が、０．５〜０．８である請求項１に記載の合成樹脂製容器。
【請求項３】
前記上絞り部の最大径に対する最小径の比が、０．６〜０．９である請求項１又は２に記載の合成樹脂製容器。
【請求項４】
前記下絞り部の最大径に対する最小径の比が、０．７〜０．９５である請求項１、２又は３に記載の合成樹脂製容器。
【請求項５】
前記上絞り部及び前記下絞り部のうち、少なくとも前記下絞り部の縦断面形状が、容器内方に凸となる曲線にて前記胴部に連続するように形成されている請求項１〜４のいずれかに記載の合成樹脂製容器。
【請求項６】
前記上絞り部及び前記下絞り部の縦断面形状が、同一の曲率半径の容器内方に凸となる曲線にて前記胴部に連続するように形成されている請求項１〜４のいずれかに記載の合成樹脂製容器。
【請求項７】
前記上絞り部における前記曲線と、前記下絞り部における前記曲線とが、共通の中心を有する請求項６に記載の合成樹脂製容器。
【請求項８】
前記曲線の曲率半径が、２０〜８０ｍｍである請求項５、６又は７に記載の合成樹脂製容器。
【請求項９】
前記上絞り部と前記最絞り部との接続部、及び／又は前記下絞り部と前記最絞り部との接続部が、段部を形成している請求項１〜８のいずれかに記載の合成樹脂製容器。
【請求項１０】
前記上絞り部と前記最絞り部との接続部、及び／又は前記下絞り部と前記最絞り部との接続部が、鞍馬状の閉曲線を形成している請求項１〜９のいずれかに記載の合成樹脂製容器。
【請求項１１】
前記上絞り部と前記最絞り部との接続部、及び前記下絞り部と前記最絞り部との接続部が、鞍馬状の閉曲線を形成しているとともに、
前記上絞り部と前記最絞り部との接続部が形成する前記閉曲線と、前記下絞り部と前記最絞り部との接続部が形成する前記閉曲線との位相が、０〜１８０度ずれている請求項１〜１０のいずれかに記載の合成樹脂製容器。
【発明の詳細な説明】
【技術分野】
【０００１】
本発明は、アセプティック充填飲料、酒類、調味料等を内容物とし、比較的容量の多い用途に供されるボトル状の合成樹脂製容器であり、手で持ったときのホールド感がよく、また、把持する部位の剛性を高くして、容器の変形を防止した合成樹脂製容器に関する。
【背景技術】
【０００２】
近年、ポリエチレンテレフタレート等の合成樹脂からなり、例えば、射出成形されたプリフォームに二軸延伸ブロー成形を施すなどして製造されたボトル状の容器が急速に普及し、飲料水、酒類、調味料等を内容物とする比較的容量の多い、例えば、２リットル程度の容器にも多く用いられている。
【０００３】
このような容量の大きい容器に内容物を充填すると、その重量はかなりのものとなり、容器を持ち上げるには相当の力を必要とする。また、容量が大きくなるにともなって容器も大型化し、片手で持つことが困難になり、無理に片手で持とうとすると、容器を掴む力が強くなって容器を潰してしまったりする。
【０００４】
この種の容器を持ち易くするために、例えば、特許文献１では、容器の胴部に把持用の凹部を設け、片手で容器を把持したときに、その凹部に指を引っ掛かけることによりボトル容器の把持性を改善した容器を提案している。
【０００５】
【特許文献１】特開平８−２３０８５６号公報
【発明の開示】
【発明が解決しようとする課題】
【０００６】
しかしながら、特許文献１の容器においては、把持用凹部を形成する面の機械的強度が弱いという問題がある。
このため、容器を持ち上げたときに、この凹部を形成している上側の面に負荷がかかると、当該面がへこんでしまうなどして、指の引っ掛かりが不充分となり、把持したときの状態が不安定であった。
また、凹部を形成する下側の面は、容器を把持したときに、指とこの面とのフィット感が得られず、また、把持した指に作用する容器からの反発力が弱いため、容器を把持したときにホールド性が得られず、把持した感覚が不安定なものであった。
【０００７】
さらに、把持部を掴んだときの押圧力により、容器は内方に窪む変形を起こすが、このときに、把持部周辺から容器の側縁部に向けて斜め方向に折れ線が発生しやすく、予期しない変形を生じることがある。
この場合、度重なる使用等により、折れ線が恒常的に形成されるようになるため、外観不良の問題や、容器を把持したときの変形に対する反発力が低下し、把持したときのホールド感が得られず、把持した状態が不安定となる問題があった。
【０００８】
近年、省資源化などの理由から容器の軽量化が強く求められており、容器の肉厚が薄くなる傾向にあるため、上記の問題はより顕著になってきている。
【０００９】
本発明は、以上のような従来の技術が有する問題を解決するために提案されたものであり、片手で把持したときに安定性よく持ち上げられ、かつ、把持する部位の剛性が高く、強い力で掴んでも変形し難い容器の提供を目的とする。
【課題を解決するための手段】
【００１０】
本発明に係る合成樹脂製容器は、口部、胴部及び底部を備えた合成樹脂製容器であって、前記胴部が、前記胴部の高さ方向ほぼ中央に設けられたウェスト部により、上側胴部と下側胴部とに分けられており、前記ウェスト部が、前記上側胴部に連続する上絞り部と、前記下側胴部に連続する下絞り部と、前記上絞り部と前記下絞り部とを接続する最絞り部とからなる構成としてある。
【００１１】
このような構成を採用することにより、ウェスト部を親指と、人差し指又は中指とで挟んで容器を把持したときに、最絞り部に指が入り込んで、指のあたり具合がよくなるとともに、親指の付け根が下絞り部に収まり易くなるなどして、手のひら全体で容器を掴み易くなり、良好なホールド感が得られる。
【００１２】
このような本発明に係る合成樹脂製容器にあっては、ウェスト部の延伸量を抑えて肉厚を確保して、ウェスト部の剛性を得るために、前記胴部の最大径に対するウェスト部の最小径の比は、０．５〜０．８であるのが好ましく、０．６〜０．７がより好適である。また、容器を把持したときのフィット感などを考慮すると、前記上絞り部の最大径に対する最小径の比は、０．６〜０．９であるのが好ましく、０．７〜０．８がより好適であり、前記下絞り部の最大径に対する最小径の比は、０．７〜０．９５であるのが好ましく、０．８〜０．９がより好適である。
【００１３】
また、ウェスト部を掴んで容器を把持したときに、手のひらとのなじみがよくなるように、前記上絞り部及び前記下絞り部のうち、少なくとも前記下絞り部の縦断面形状が、容器内方に凸となる曲線にて胴部に連続するように形成することもできる。
また、ウェスト部を親指と人差し指とで挟んだときの、親指と、人差し指又は中指との間とのあたり具合を考慮すると、前記上絞り部及び前記下絞り部の縦断面形状は、同一の曲率半径の容器内方に凸となる曲線にて前記胴部に連続するように形成されているのが好ましく、このとき、前記上絞り部における前記曲線と、前記下絞り部における前記曲線とは、共通の中心を有しているのがより好ましい。
これらの場合、容器を把持したときのフィット感などを考慮すると、前記曲線の曲率半径は、２０〜８０ｍｍであるのが好ましく、３０〜６０ｍｍがより好適である。
【００１４】
さらに、前記上絞り部と前記最絞り部との接続部、及び／又は前記下絞り部と前記最絞り部との接続部が、段部を形成するようにしてもよい。
これにより、ウェスト部の剛性が高まり、容器を把持する際に剛性の高い段部に指を引っ掛けて容器を把持することができ、容器の把持性が向上するとともに、ウェスト部を掴む指に力が入りすぎても、容器の変形を防止することができる。
【００１５】
また、前記上絞り部と前記最絞り部との接続部、及び／又は前記下絞り部と前記最絞り部との接続部が、鞍馬状の閉曲線を形成するようにすることで、ウェスト部の剛性が向上するとともに、ウェスト部を親指と、人差し指又は中指とで挟んで容器を把持したときの指のあたり具合を一層よくすることができる。
前記接続部の両方を鞍馬状の閉曲線に形成する場合、ウェスト部の剛性や、指のあたり具合などを考慮すると、前記上絞り部と前記最絞り部との接続部が形成する前記閉曲線と、前記下絞り部と前記最絞り部との接続部が形成する前記閉曲線との位相が、０〜１８０度ずれているのが好ましく、３０〜６０度がより好適である。
【発明の効果】
【００１６】
以上のような本発明に係る合成樹脂製容器は、ウェスト部を親指と、人差し指又は中指とで挟んで容器を把持したときのホールド感がよく、片手で把持したときにも安定性よく持ち上げることができる。また、ウェスト部の剛性を向上させることができ、ウェスト部を強い力で掴んでも変形し難いホールド性に優れた容器である。
【発明を実施するための最良の形態】
【００１７】
以下、本発明に係る合成樹脂製容器の好ましい実施形態について、図面を参照しつつ説明する。
図１は、本発明に係る合成樹脂製容器の一実施形態の概略を示す正面図である。また、図２（ａ）は、図１のＡ−Ａ横端面図、図２（ｂ）は、同Ｂ−Ｂ横端面図、図２（ｃ）は、同Ｃ−Ｃ横端面図である。なお、作図上、図２では、容器１の肉厚を誇張している。
【００１８】
図１に示す容器１は、口部２、胴部３及び底部４を備えており、ほぼ円筒状の容器形状を有している。胴部３の高さ方向ほぼ中央には、径を絞り込んだウェスト部５が形成されている。そして、胴部３は、ウェスト部５を境に、上側胴部３１と下側胴部３２とに分けられている。
ここで、高さ方向とは、口部２を上にして容器１を水平面に置いたときに、水平面に直交する方向に沿った方向をいうものとする。
【００１９】
図示する例において、上側胴部３１には、高さ方向に沿って延びる複数の稜線３１１が形成されている。それぞれの稜線３１１は、上側胴部３１の側面に沿って形成されており、正面視したときに直線状に観察される。
そして、これらの稜線３１１の間には、容器１の内圧が減少したときに、容器１の内方に緩やかに湾曲して圧力の減少を吸収する減圧吸収面３１２が十二面形成されており、上側胴部３１の横断面形状は、正十二角形状に形成されている（図２（ａ）参照）。
【００２０】
また、下側胴部３２には、高さ方向に沿って螺旋状に延びる複数の稜線３２１が形成されており、これらの稜線３２１の間には、下側胴部３２の横断面形状が正十六角形状となるように（図２（ｃ）参照）、十六面の減圧吸収面３２２が均等に形成されている。
【００２１】
本実施形態において、このような上側胴部３１と下側胴部３２とに胴部３を分けているウェスト部５は、比較的剛性の高い口部２の直下（肩部）と、底部５との間を補強して、胴部３の高さ方向中央部部分における剛性を確保するとともに、容器１を持ち易くするために設けられる。
【００２２】
ここで、図示する容器１は、容積２リットルの比較的容量の多い用途に供される容器の一例であり、その寸法は、高さＨが３１０ｍｍ、口部２の開口径φａが２６ｍｍ、上側胴部３１の最大径φｂが１０７ｍｍ、下側胴部３２の最大径φｃが１１０ｍｍ、ウェスト部５の最小径φｄが７２ｍｍである。また、胴部２の平均肉厚は、約０．２２ｍｍである。
【００２３】
ウェスト部５の最小径φｄは、容器１を片手で把持することを考慮すると、６０〜９０ｍｍであるのが好ましく、特に好ましくは６５〜８５ｍｍである。
また、他の部位の剛性や、デザイン上のバランスなどを考慮しつつ、ウェスト部５の延伸量を抑えて肉厚を確保して、ウェスト部５の剛性を得るためには、胴部３の最大径φＭＡＸに対するウェスト部５の最小径φｄの比（φｄ／φＭＡＸ）が、０．５〜０．８となるような範囲でウェスト部５を絞り込むのが好ましく、特に好ましくは０．６〜０．７である。
【００２４】
図示する例において、ウェスト部５は、上側胴部３１に連続する上絞り部５１と、下側胴部３２に連続する下絞り部５２とを有している。上絞り部５１と下絞り部５２とは、円筒状の最絞り部５３（図２（ｂ）参照）の上下に接続されている。また、上絞り部５１と最絞り部５３との接続部５１１と、下絞り部５２と最絞り部５３との接続部５２１は、段部５５を形成している。
なお、特に図示しないが、上絞り部５１と下絞り部５２の横断面形状も、最絞り部５３と同様に、円形状になっている。
【００２５】
このように、胴部３のほぼ中央を二段階に絞り込んでウェスト部５を形成することで、ウェスト部５を親指と、人差し指又は中指とで挟んで容器１を把持したときに、最絞り部５３に指が入り込んで、指のあたり具合がよくなるとともに、親指の付け根が下絞り部５２に収まり易くなるなどして、手のひら全体で容器１を掴み易くなる。
【００２６】
このとき、上絞り部５１と下絞り部５２の絞り比は、容器１を把持したときのフィット感や、容器１のデザインなどを考慮して、適宜設定することができるが、上絞り部５１の径φｅを絞り込むにあたり、上絞り部５１の最大径φｅＭＡＸに対する最小径φｅＭＩＮの比（φｅＭＩＮ／φｅＭＡＸ）は、０．６〜０．９であるのが好ましく、特に好ましくは０．７〜０．８であり、同最大径φｅＭＡＸに対するウェスト部５の最小径φｄの比（φｄ／φｅＭＡＸ）は、０．５〜０．８であるのが好ましい。
また、下絞り部５２の径φｆを絞り込むにあたり、下絞り部５２の最大径φｆＭＡＸに対する最小径φｆＭＩＮの比（φｆＭＩＮ／φｆＭＡＸ）は、０．７〜０．９５であるのが好ましく、特に好ましくは０．８〜０．９であり、同最大径φｆＭＡＸに対するウェスト部５の最小径φｄの比（φｄ／φｆＭＡＸ）は、０．６〜０．８５であるのが好ましい。
【００２７】
また、図示する例では、上絞り部５１と下絞り部５２は、上記絞り比の範囲で、その縦断面形状が、容器１の内方に凸となる曲率半径４０ｍｍの曲線を形成するような曲面にて、それぞれ上側胴部３１と下側胴部３２とに連続している。
そして、上側胴部３１の上絞り部５１と連続する部分は、その断面形状が容器１の外方に凸となる曲率半径５０ｍｍの曲線を形成するような曲面にて形成されており、下側胴部３２の下絞り部５２と連続する部分は、その断面形状が容器１の外方に凸となる曲率半径１２０ｍｍの曲線を形成するような曲面にて形成されている（図３参照）。
なお、図３は、ウェスト部５の近傍の概略を示す要部拡大縦断面図である。
【００２８】
ここで、ウェスト部５と上側胴部３１との境界は、ウェスト部５（上絞り部５１）側の容器１の内方に凸となる曲線と、上側胴部３１側の容器１の外方に凸となる曲線との変曲点に相当する部分５１０をいい、これらの曲線間に直線的な部分が存在する場合には、当該直線的な部分はウェスト部５に含まれるものとし、当該直線的な部分の上端に相当する部分をウェスト部５と上側胴部３１との境界とする。
【００２９】
同様に、ウェスト部５と下側胴部３２との境界も、ウェスト部５（下絞り部５２）側の容器１の内方に凸となる曲線と、下側胴部３２側の容器１の外方に凸となる曲線との変曲点に相当する部分５２０をいい、これらの曲線間に直線的な部分が存在する場合には、当該直線的な部分はウェスト部５に含まれるものとし、当該直線的な部分の下端に相当する部分をウェスト部５と下側胴部３２との境界とする。
【００３０】
このような容器１の内方に凸となる曲面により、ウェスト部５を上側胴部３１と下側胴部３２とに連続させることで、ウェスト部５を掴んで容器１を把持したときに、手のひらとのなじみがよくなり、容器１のホールド感が一層よくなる。
このとき、正立状態で容器１を把持したときに手のひらがあたる下絞り部５２が、上記したような容器１の内方に凸となる曲面にて形成されていれば、容器１を正立状態で把持したときのホールド感をよくすることができるが、容器１を倒立状態で把持したときのことを考慮すると、ウェスト部５は、図示するように、高さ方向上下でほぼ対称となるように形成するのが好ましい。
【００３１】
また、ウェスト部５を親指と、人差し指又は中指とで挟んだときに、親指と、人差し指又は中指との間とのあたり具合がよくなるように、上絞り部５１と下絞り部５２における上記曲線は、同一の曲率半径にて形成されているのが好ましく、図３に波線で示すように、共通の中心を有する同一の曲率半径の曲線とするのが特に好ましい。
【００３２】
上記各曲面の曲率半径は、容器１を把持したときのフィット感や、容器１のデザインなどを考慮して、適宜設定することができるが、通常は、２０〜８０ｍｍとするのが好ましく、より好ましくは３０〜６０ｍｍである。
【００３３】
また、本実施形態にあっては、図示するように、接続部５１１，５２１が、段部５５を形成するように、上絞り部５１と最絞り部５３、及び下絞り部５２と最絞り部５３とを接続している。
このような段部５５を形成することで、ウェスト部５の剛性を高めることができる。これに加え、容器１を把持する際に、剛性の高い段部５５に指を引っ掛けて容器１を把持することで容器１の把持性が向上するとともに、ウェスト部５を掴む指に力が入りすぎても、容器１の変形を防止することができる。
なお、段部５５は、必要に応じて接続部５１１，５２１の一方に形成するようにしてもよい。
【００３４】
さらに、図示する例では、接続部５１１，５２１が鞍馬状の閉曲線を形成するようにして、上絞り部５１と最絞り部５３、及び下絞り部５２と最絞り部５３とが接続されている。ここで、鞍馬状の閉曲線とは、鞍点を中心に鞍面上の点をつないでなる閉曲線をいうものとするが、数学的な意味での厳密性までは要求されない。
【００３５】
これにより、接続部５１１，５２１が、容器１の周方向に沿って曲線的に形成されることになり、ウェスト部５の剛性をより向上させることができるとともに、ウェスト部５を親指と、人差し指又は中指とで挟んで容器１を把持したときの指のあたり具合がさらによくなる。このような効果は、特に、接続部５１１，５２１が段部５５を形成するようにしたときに顕著になる。
【００３６】
また、図示する例では、上絞り部５１側の接続部５１１が形成する鞍馬状の閉曲線と、下絞り部５２側の接続部５２１が形成する鞍馬状の閉曲線とを同一形状とし、その位相を４５度ずらしている。ウェスト部５の剛性の向上や、指のあたり具合などを考慮すると、その位相差は、０〜１８０度の範囲にあるのが好ましく、特に好ましくは３０〜６０度である。
【００３７】
ここで、図４は、接続部５１１，５２１が形成する鞍馬状の閉曲線の位置関係を説明するために、これらの閉曲線を概念的に示した図であり、図４（ａ）は、接続部５１１が形成する閉曲線と、接続部５２１が形成する閉曲線と位相差が０度の状態を示している。図４（ｂ）は、接続部５１１が形成する閉曲線を固定する一方、接続部５２１が形成する閉曲線上の点Ｐが、中心軸Ｘ周りに４５度回転するように、当該閉曲線の全体を回転させた状態を示している。この状態は、図示する容器１における上記両閉曲線の位置関係に相当し、このときの回転角度αを位相差というものとする。
【００３８】
また、上記両閉曲線の位相をずらすことにより、最絞り部５３の高さ方向の幅Ｗは、容器１の周方向に沿って変化することになるが、このときの最小幅は、２〜６ｍｍであるのが好ましく、特に好ましくは３〜５ｍｍである。最大幅は、８〜１４ｍｍであるのが好ましく、特に好ましくは９〜１２ｍｍである。
また、幅が変化する割合は、容器１の寸法にもよるが、最小幅に対して最大幅が１．５〜６倍であるのが好ましく、特に好ましくは２．５〜４倍である。
【００３９】
なお、図示する例では、接続部５１１が形成する鞍馬状の閉曲線と、接続部５２１が形成する鞍馬状の閉曲線とを、同一形状の閉曲線としてその位相をずらしているが、これらの閉曲線は異なるものとすることもできる。また、一方が形成する閉曲線を単なる二次元的な円形状として、必要に応じて適宜中心線Ｘに対して傾けるなどしてもよい。これらの場合においても、絞り部５３の高さ方向の幅Ｗが、上記範囲で変化するのが好ましい。
【００４０】
以上説明したような本実施形態に係る合成樹脂製容器は、例えば、公知の射出成形や押出成形により製造された、有底筒状のプリフォームを二軸延伸ブロー成形するなどして製造することができる。また、本実施形態に係る容器１を構成する熱可塑性樹脂は、延伸ブロー成形及び熱結晶化可能な樹脂であれば任意のものを使用することができる。
【００４１】
具体的には、ポリエチレンテレフタレート，ポリブチレンテレフタレート，ポリエチレンナフタレート，ポリカーボネート，ポリアリレート、ポリ乳酸又はこれらの共重合体等の熱可塑性ポリエステル、これらの樹脂あるいは他の樹脂とのブレンド物が好適であり、特に、ポリエチレンテレフタレート等のエチレンテレフタレート系熱可塑性ポリエステルが好適に使用される。
また、アクリロニトリル樹脂，ポリプロピレン，プロピレン−エチレン共重合体，ポリエチレン等も使用することができる。
これらの樹脂には、成形品の品質を損なわない範囲内で種々の添加剤、例えば、着色剤，紫外線吸収剤，離型剤，滑剤，核剤，酸化防止剤，帯電防止剤等を配合することができる。
【００４２】
エチレンテレフタレート系熱可塑性ポリエステルは、エステル反復単位の大部分、一般に７０モル％以上をエチレンテレフタレート単位が占めるものであり、ガラス転移点（Ｔｇ）が５０〜９０℃、融点（Ｔｍ）が２００〜２７５℃の範囲にあるものが好適である。
エチレンテレフタレート系熱可塑性ポリエステルとしては、ポリエチレンテレフタレート（ＰＥＴ）が耐圧性，耐熱性，耐熱圧性等の点で特に優れているが、エチレンテレフタレート単位以外にイソフタル酸やナフタレンジカルボン酸等の二塩基酸とプロピレングリコール等のジオールからなるエステル単位の少量を含む共重合ポリエステルも使用することができる。
【００４３】
また、本実施形態に係る容器１は、単層（一層）の熱可塑性ポリエステル層で構成される場合の他、二層以上の熱可塑性ポリエステル層により構成することもできる。さらに、二層以上の熱可塑性ポリエステル層からなる内層及び外層の間に封入される中間層を備えることができ、中間層をバリヤー層や酸素吸収層とすることができる。
このようにバリヤー層，酸素吸収層を備えることにより、容器内への外部からの酸素の透過を抑制し、容器内の内容物の外部からの酸素による変質を防止することができる。
ここで、酸素吸収層としては、酸素を吸収して酸素の透過を防ぐものであれば任意のものを使用することができるが、酸化可能有機成分及び遷移金属触媒の組合せ、あるいは実質的に酸化しないガスバリヤー性樹脂，酸化可能有機成分及び遷移金属触媒の組み合わせを使用することが好適である。
【００４４】
以上、本発明について、好ましい実施形態を示して説明したが、本発明は、前述した実施形態にのみ限定されるものではなく、本発明の範囲で種々の変更実施が可能であることは言うまでもない。
【００４５】
例えば、前述した実施形態において、上側胴部３１及び下側胴部３２は、高さ方向に沿って延びる稜線により画成された複数の減圧吸収面からなる減圧吸収機能を備えているが、本発明に係る合成樹脂製容器には、種々の減圧吸収機能を備えさせることができる。
また、前述した実施形態にあっては、上側胴部３１の横断面形状は正十二角形状、下側胴部３２は正十六角形状としたが、上側胴部３１及び下側胴部３２の具体的形状も特に限定されず、その断面形状は、その他の多角形状、又は円形状とすることもできる。
【００４６】
さらに、ウェスト部５の最絞り部５３を円筒状のものとして、本発明の好ましい実施形態を説明したが、最絞り部５３の形状も、容器１の把持性を考慮して、比較的面数の多い多面体形状としたり、側面を湾曲させたりするなど、本発明の範囲で変更することができる。
また、上絞り部５１と下絞り部５２の横断面形状も特に限定されず、例えば、上側胴部３１又は下側胴部３２の横断面形状から、最絞り部５３の横断面形状へと、徐々に変化していくようにしてもよい。
【産業上の利用可能性】
【００４７】
以上説明したように、本発明に係る合成樹脂製容器は、アセプティック充填を行う飲料水、ミネラルウォーター、ミルクコーヒー、茶類、健康飲料や、中温充填の酒類、調味料等を内容物とするボトル状容器として好適に用いられる。
【図面の簡単な説明】
【００４８】
【図１】本発明に係る合成樹脂製容器の一実施形態の概略を示す正面図である。
【図２】本発明に係る合成樹脂製容器の一実施形態の横端面図であり、図２（ａ）、図２（ｂ）、図２（ｃ）は、それぞれ図１のＡ−Ａ横端面、Ｂ−Ｂ横端面、Ｃ−Ｃ横端面を示している。
【図３】ウェスト部近傍の概略を示す要部拡大断面図である。
【図４】接続部５１１，５２１が形成する鞍馬状の閉曲線の位置関係を説明する概念図である。
【符号の説明】
【００４９】
１          容器
２          口部
３          胴部
３１        上側胴部
３２        下側胴部
４          底部
５          ウェスト部
５１        上絞り部
５２        下絞り部
５３        最絞り部
【図１】
2006103736.tif 000003
【図２】
2006103736.tif 000004
【図３】
2006103736.tif 000005
【図４】
2006103736.tif 000006